(57)【要約】【課題】本発明は座板の上面に化粧用表面材を層着した床材の敷設作業時における、床材（座板）の製造誤差又は床下地面の不陸を、隣接する床材の連結片のほぞ孔とほぞによる連結部において効果的に吸収する床材相互の連結構造を提供する。【解決手段】一方の床材の座板１辺縁部から外側方へ突設した連結片２０に辺縁部と直交する方向に細長いほぞ孔１９を設け、該ほぞ孔１９の内周面に環状の被係止段部２２ｂを形成し、他方の床材の座板１辺縁部から下方へ突設した割ほぞ２１ａの外側面に係止段部２３ｂを形成し、該割ほぞ２１ａを上記ほぞ孔１９に弾力的に圧入して上記係止段部２３ｂを上記被係止段部２２ｂの短手方向の段部に係合させ、該割ほぞ２１ａが上記係合状態を保ちつつ上記被係止段部２２ｂの表面をほぞ孔１９の長手方向へ滑動して床材相互を接近離間方向に移動する構成にした床材相互の連結構造。【選択図】        図１６
2008101381.tif 000002
【特許請求の範囲】
【請求項１】
方形の座板の上面に化粧用表面材を層着した床材相互を連結する手段であって、隣接する一方の床材の座板辺縁部から外側方へ突設した連結片の上面に隣接する他方の床材の座板辺縁部を載置すると共に、該他方の床材の上記座板辺縁部から下方へ突設したほぞを上記連結片の上下面間において貫通せるほぞ孔に挿入する構成とした床材相互の連結構造において、上記連結片に上記辺縁部と直交する方向に細長いほぞ孔を設け、該ほぞ孔の内周面に環状の被係止段部を形成し、他方上記ほぞを上記細長ほぞ孔の短手方向に弾性変位可能な割ほぞ構造にし、該各割ほぞの外側面に係止段部を形成し、該割ほぞを上記ほぞ孔に弾力的に圧入して上記係止段部を上記環状被係止段部の短手方向の段部に係合させると共に、各割ほぞを上記ほぞ孔の短手方向の内面に弾接し、該割ほぞが上記係合状態と弾接状態を保ちつつ上記環状被係止段部の表面をほぞ孔の長手方向へ滑動して床材相互を接近離間方向に移動する構成にしたことを特徴とする床材相互の連結構造。
【請求項２】
上記割ほぞの係止段部が上記ほぞ孔の環状被係止段部の長手方向の内端に係合した時、上記一方と他方の床材の座板辺縁部側面が互いに当接する構成としたことを特徴とする請求項１記載の床材相互の連結構造。
【発明の詳細な説明】
【技術分野】
【０００１】
本発明はベランダ、バルコニー、屋上等に多数敷き詰めて仕上げ床構造を形成する床材相互の連結構造に関する。
【背景技術】
【０００２】
従来より特許文献１乃至３に示すように、方形の合成樹脂製座板の上面にタイルやコンクリートから成る化粧用表面材を層着した床材が既知であり、特許文献１，２は該床材相互の連結手段として隣接する一方の床材の座板辺縁部から外側方へ突出する連結片を設け、隣接する他方の床材の座板辺縁部から下方へ突出するほぞを設け、上記連結片の上面に隣接する他方の床材の座板辺縁部を載置すると共に、該辺縁部に設けた上記ほぞを上記連結片の上面と下面間において貫通せるほぞ孔に挿入し床材相互を連結するようにした連結構造が既知である。
【０００３】
又特許文献２は連結片とほぞ（継手部）を連結して仕上げ床構造を形成した後に、外気の熱により床材が熱収縮した時の対策として、上記継手部自身を撓ませて該熱収縮を吸収する方法を開示している。
【０００４】
【特許文献１】特開平１１−２２１５９号公報
【特許文献２】特開平１１−３００２４号公報
【特許文献３】特許第３７４６０５１号公報
【発明の開示】
【発明が解決しようとする課題】
【０００５】
然しながら、熱により床材が熱収縮を来した場合に継手部自身を撓ませ吸収する方法では、床材の一枚一枚を連結する際の床材本体及び連結部の製造誤差を吸収する手段としては有効に機能し難い。同様に施工時における床下地面の不陸を吸収する手段としても有効に機能し難い。
【０００６】
何故ならば、床材は一枚ずつ連結して床下地面に敷き詰める施工作業を行うのであるが、この一枚一枚の床材を連結した直後に継手部が復元してしまい、吸収不能となるからである。
【０００７】
特許文献２は床材の敷き詰め作業時における、床材の製造誤差又は床下地面の不陸を、連結部において吸収する思想については全く認識していない。
【課題を解決するための手段】
【０００８】
本発明は上記一方の床材の座板辺縁部から外側方へ突設した連結片に辺縁部と直交する方向に細長いほぞ孔を設け、該ほぞ孔の内周面に環状の被係止段部を形成する。
【０００９】
他方上記他方の床材の座板辺縁部から下方へ突設したほぞを上記細長ほぞ孔の短手方向に弾性変位可能な割ほぞ構造にし、該各割ほぞの外側面に係止段部を形成する。
【００１０】
例えばほぞの直径線上にほぞ孔の長手方向の割溝を入れ、一対の割ほぞを形成し、各割ほぞの外側面の中間部に上記係止段部を形成する。
【００１１】
そして上記割ほぞを上記ほぞ孔に弾力的に圧入して上記係止段部を上記環状被係止段部の短手方向の段部に係合させると共に、各割ほぞを上記ほぞ孔の短手方向の内面に弾接し、該割ほぞが上記係合状態と弾接状態を保ちつつ上記環状被係止段部の表面をほぞ孔の長手方向へ滑動して床材相互を接近離間方向に移動する構成にした床材相互の連結構造である。
【００１２】
上記割ほぞの係止段部は上記ほぞ孔の環状被係止段部の長手方向の内端に係合した時、上記一方と他方の床材の座板辺縁部側面が互いに当接する構成とする。
【発明の効果】
【００１３】
本発明によれば、床材の敷き詰め作業時における、床材（座板）の製造誤差又は床下地面の不陸を、連結片のほぞ孔とほぞによる連結部において効果的に吸収することができる。
【００１４】
よって不陸が存する床下地面に多数の床材を連結しつつ敷き詰める作業、並びに製造誤差を有する床材を連結しつつ床下地面に敷き詰める作業を適正且つ円滑に遂行できる。
【００１５】
又本発明によれば床材の熱収縮に対してもこれを吸収する効果を期待することができる。
【発明を実施するための最良の形態】
【００１６】
以下本発明を実施するための最良の形態を図１乃至図１７に基づき説明する。
【００１７】
本発明において対象とする床材は、平板な方形の座板１の上面にタイルやコンクリート（セメント混練材）から成る化粧用表面材２を層着した床材であり、該床材相互を連結しつつ床下地面１７に多数敷き詰めて仕上げ床を構成する場合の、床材相互の連結構造に係る。
【００１８】
以下座板１の上面にコンクリートから成る化粧用表面材２を一体成形し層着した場合を例に掲げ、床材相互の連結構造例を説明する。
【００１９】
図６乃至図１２等に示すように、座板１の上面に該上面において成形し固化させた表面材（コンクリート）２を有し、該表面材２を層着するに際し、上記座板１の上面から一体に且つ垂直に突出せる多数のアンカー３を固化前の上記表面材２中に埋設して同表面材２と座板１とを結合した構造を有する。
【００２０】
又図１９等に示すように、上記座板１の下面から一体に突出せる多数の支持脚６を設け、該支持脚６を以って床下地面１７に多点支持し、座板１を該支持脚６によって床下地面１７に対して浮かし支持し、座板１と床下地面１７間に連続した空隙１８を形成する。上記支持脚６は短円柱形又は短楕円柱形又は角柱形等にする。
【００２１】
上記表面材２の形成方法と構造について説明すると、図１５に示すように、固化前表面材（固化前コンクリート）２を表面材成形型１０内に充填して同表面材２を成形すると共に、表面材成形型１０の開放面（表面材２の下面に相当する開放面）に上記座板１のアンカー３を固化前表面材２内に押込んで埋設すると共に、同座板１の上面を固化前表面材２の下面に密着し、よって上記座板１と同座板１の上面において成形し固化された表面材２を有する上記床材を得る。床材の脱型前又は脱型後に自然乾燥又は熱風乾燥して上記固化を促す。
【００２２】
上記表面材成形型１０は凹型（開放型）から成るゴム型又は合成樹脂フィルム型等を用いる。該型１０によって表面材２の外形（輪郭）と表面模様を成形すると共に、図７、図１１に示すように、必要に応じ該表面材２の上面に化粧目地１１を付形し、該目地１１によって表面材２を外観上、複数の区分に区画する。又は図６、図１０に示すように、目地１１を施さない表面材２を成形する。又は図８、図１２に示すように、分離溝１２によって隔てられた複数の表面材２を一枚の座板１上面において成形し層着する。
【００２３】
図２乃至図４等に示すように、上記アンカー３による座板１と表面材２の結合を強化する手段として、上記アンカー３の直下に座板１を貫通し上下面において開口せる座板結合孔４を設ける。該座板結合孔４は座板１の上面から垂直に立ち上がるアンカー３の縦軸線と同心に配置する。該座板結合孔４はアンカー３の両側面の外域に亘り開口する。
【００２４】
座板１の上面において表面材２を成形し固化するに際し、即ち上記座板１の上面を固化前表面材２の下面に押し付けアンカー３を同表面材２内へ圧入することにより、上記座板結合孔４に該固化前の表面材２を流入せしめ、該アンカー３直下の座板結合孔４とアンカー３との協働により固化前表面材２のアンカー３表面及び座板１上面に対する良馴性、密着性を得て表面材２と座板１との結合を強化する。
【００２５】
再述すると、固化前表面材２は座板結合孔４内の空気を外部（座板下面下）へ排出しつつ同結合孔４内へ確実に流入し、ひいてはアンカー３の立ち上がり基部の入隅部への回り込みを確実に惹起し、健全なるアンカー構造を形成できる。
【００２６】
更に図２乃至図４等に示すように、上記アンカー３にはその立ち上がり側面９間を貫通せるアンカー結合孔５を設け、上記座板結合孔４をアンカー３の直下、即ちアンカー結合孔５の直下に設けて両結合孔４，５を連通せしめ、上記固化前表面材２を該上下に連通する上記両結合孔４，５に流入せしめつつアンカー３への馴染み性を高め、両結合孔４，５が協働してアンカー３によるアンカー効果を向上せしめる。
【００２７】
適例として、上記アンカー３は座板１から垂直に立ち上がる平板形状にして固化前表面材２内への押込み抵抗を軽減し、スムーズな挿入と、アンカー３に対する固化前表面材２の良馴性を確保する。上記座板結合孔４は該平板形アンカー３の両側面９の外域に亘り開口する。
【００２８】
上記平板形のアンカー３はその立ち上がり側面９を全て同一方向に向くように配向する。例えば座板１の対向する二辺に向くように配向する。
【００２９】
上記アンカー結合孔５は該平板形アンカー３の対向する立ち上がり側面９間を貫通して設ける。上記固化前の表面材２は座板結合孔４内へ浸入しつつ、同時進行的にアンカー結合孔５内への浸入が促進され、両結合孔４，５が協働して上記アンカー３による座板１と表面材２の結合強度を増長する。
【００３０】
上記座板１の下面から突出せる支持脚６は座板１の上面から突出せるアンカー３とは位置をずらして配置し、座板結合孔４を座板１の下面において開放せしめるか、適例として図２乃至図４等に示すように、同支持脚６を上記アンカー３の直下に配置し、即ちアンカー３と同軸線に配置し、該支持脚６に上記座板結合孔４と同心に連通する支持脚結合孔７を貫設する。
【００３１】
上記支持脚結合孔７は上端において座板結合孔４と連通し、支持脚６下端面において開放している。一例として上記支持脚６を短円柱形にし、これに上記支持脚結合孔７を貫設して短円筒形にする。又は上記支持脚６を短楕円柱形又は角柱形にし、これに上記支持脚結合孔７を貫設して筒形にする。
【００３２】
固化前の表面材２を上記座板結合孔４を通して該支持脚結合孔７内へ逃がし流入せしめることにより、上記座板結合孔４内への、ひいてはアンカー結合孔５内への固化前表面材２の流入を促進し、強固なる結合が得られるようにしたものである。
【００３３】
再述すると、固化前表面材２は座板結合孔４内の空気を支持脚結合孔７を通して外部（座板下面下）へ排出しつつ、同結合孔４と７内へ確実に流入し、ひいてはアンカー結合孔５内へ確実に流入し、アンカー３と協働して健全なるアンカー構造を形成できる。
【００３４】
上記構成に加え、図１、図２等に示すように、上記座板１には上下面を貫通し固化前の表面材２を流入せしめる多数の結合窓８を上記アンカー３間に配置し、アンカー３を固化前表面材２内へ押し込んで埋設するに当たり、該固化前表面材２を上記座板結合孔４とアンカー結合孔５内へ浸入させつつ、上記結合窓８内へ浸入せしめ、表面材２と座板１の一体結合を強化したものである。
【００３５】
上記結合窓８は一例として、座板１を形成する縦方向平板ビーム１３と横方向平板ビーム１４を交差して設けて複数の方形領域に区画し、該方形領域内の対角線上において交差する斜め平板ビーム１５，１６を上記縦横平板ビーム１３，１４と一体に設け、各方形領域内に斜め平板ビーム１５，１６と縦横平板ビーム１３，１４によって画成された各４個の三角形又は三角台形の結合窓８を形成する。
【００３６】
上記縦横平板ビーム１３，１４と斜め平板ビーム１５，１６を一平面内において連成し、座板１本体を構成する。該座板１の四辺には座板１上面から僅かに立ち上がる縁壁を設けるか、該縁壁を設けずに上記ビームの板厚、即ち座板１の板厚の状態で終端せしめる。
【００３７】
図１８、図１９に示すように、上記方形の床材を支持脚６を以って床下地面１７に縦横に多数枚敷き詰め広面積の歩行床（仕上げ床）を形成し、全床材の座板１下に連続した空隙１８を形成する。
【００３８】
上記各床材は四辺において隣接する床材と互いに連結される。該連結手段として図１６、図１７等に示すように、座板１の隣接する二辺の側面から側方へ水平に突出し且つ上下に貫通するほぞ孔１９を有する連結片２０を各辺に沿い間隔的に複数配し、他方各座板１の隣接する他の二辺の下面（座板１の辺縁部の下面）から下方へ突出するほぞ２１を設け、該ほぞ２１を上記連結片２０のほぞ孔１９内へ強制力を以って挿入し、該ほぞ孔１９内周面に形成した環状の被係止段部２２ｂにほぞ２１の外面に形成した係止爪２３ａの係止段部２３ｂを係合して床材間の連結を図る。
【００３９】
上記連結片２０の上面２６は座板１の下面と同一平面にし、連結片２０の下面２４は上記支持脚６の下面２５と同一平面にし、支持脚６の下面２５と連結片２０の下面２４とを床下地面１７に支持し、床材全体を支える。
【００４０】
又連結片２０の上面２６に隣接する床材の座板１辺縁部下面を重ね支持した時、座板１の側面を正対せしめ、隣接する座板１上面（表面材２上面）が同一平面になり、隣接する座板１下面が同一平面になるようにする。
【００４１】
隣接する座板１の辺縁部下面を該連結片２０の上面２６に重ねながら、ほぞ２１をほぞ孔１９内に圧入することによって、上記レベル設定が自動的になされる。
【００４２】
上記床材相互の連結手段について更に詳述すると、上記連結片２０に上記座板１辺縁部（座板１側面）と直交する方向に細長いほぞ孔１９を設け、該ほぞ孔１９の内周面に環状の被係止段部２２ｂを形成する。換言するとほぞ孔１９の内周面から環状の被係止爪２２ａを突設し、該被係止爪２２ａの下面に上記環状の被係止段部２２ｂを形成し、同被係止爪２２ａの上面をほぞ２１の導入を案内する内方へ向け傾斜する斜面２２ｃにする。
【００４３】
他方上記ほぞ２１を上記細長ほぞ孔１９の短手方向に弾性変位可能な割ほぞ構造にし、該各割ほぞ２１ａの外側面に係止段部２３ｂを形成する。
【００４４】
詳述すると、各割ほぞ２１ａの外側面から係止爪２３ａを突設し、該係止爪２３ａの下面を割ほぞ２１ａのほぞ孔１９内への導入を案内する斜面２３ｄにし、同上面の係止段部２３ｂをほぞ２１の脱出を案内する斜面２３ｃにする。従って係止爪２３ａの上面と下面は斜面２３ｃ，２３ｄにする。
【００４５】
斯くして上記割ほぞ２１ａを上記ほぞ孔１９に弾力的に圧入して上記係止爪２３ａの係止段部２３ｂを上記被係止爪２２ａの環状被係止段部２２ｂの短手方向の段部に係合させると共に、各割ほぞ２１ａを上記ほぞ孔１９の短手方向の内面、即ち被係止爪２２ａの短手方向の内面に弾接し、該割ほぞ２１ａが上記係合状態と弾接状態を保ちつつ係止爪２３ａの係止段部２３ｂが上記環状被係止段部２２ｂの表面をほぞ孔１９の長手方向へ滑動して床材相互を接近離間方向に移動する構成とする。
【００４６】
図１６Ｂに示すように、上記割ほぞ２１ａの係止段部２３ｂが上記ほぞ孔１９の環状被係止段部２２ｂの長手方向の内端に係合した時、上記一方と他方の床材の座板１辺縁部側面が互いに当接する構成とする。
【００４７】
逆に図１６Ｃに示すように、上記割ほぞ２１ａの係止段部２３ｂが上記ほぞ孔１９の環状被係止段部２２ｂの長手方向の外端に係合した時、上記一方と他方の床材の座板１辺縁部側面が互いに離間する構成とする。
【００４８】
好ましくは、上記割ほぞ２１ａの係止段部２３ｂがほぞ孔１９の環状被係止段部２２ｂに係合した時、ほぞ２１の下面２１ｂが床下地面１７に当接するようにする。即ち連結状態においてほぞ２１（割ほぞ２１ａ）の下面２１ｂと、支持脚６の下面２５と、連結片２０の下面２４とが同一平面になって床下地面１７に支持されるようにする。
【００４９】
よって割ほぞ２１ａが上記係合状態と弾接状態を保ちながら、床材と一緒に隣接する床材と接近する方向へ滑動することにより床下地面１７の不陸を吸収し、床材又は連結片２０とほぞ２１の製造誤差を吸収し、熱収縮を吸収する。
【００５０】
上記座板１と、アンカー３と、支持脚６と、連結片２０と、ほぞ２１を合成樹脂にて一体成形する。
【００５１】
図６乃至図１２に示すように、前記した表面材２はその周囲四側面２′が座板１の周囲四側面と略同一平面となるように成層する。又は座板１の周囲四側面を表面材２の周囲四側面で覆うように成層する。
【００５２】
そして多数の床材を前記連結手段によって連結しつつ床下地面１７に置設した場合、床材の四側面即ち表面材２の四側面２′が、隣接する床材の表面材２の四側面２′と接触又は近接するようにし、上方から座板１の縁部や床下地面１７が視覚できないようにする。
【００５３】
上記座板１の表面において成形固化する表面材２としては、砂、ガラス、木片、鉱物等の各種骨材をセメント又は合成樹脂をバインダーとして混練した材を適用する。
【００５４】
又は上記セメントや合成樹脂の他、鉱滓、焼却灰、石膏等、乾燥固化されるものに各種骨材を配合した材を適用できる。又は製紙スラッジ等の各種スラッジとセメント又は合成樹脂との混練材を適用できる。
【００５５】
上記説明した表面材２の表飾手段として、同表面に各種模様を成形又は着色したり、シート状又は粒状の表飾材を接着したりすることができる。
【図面の簡単な説明】
【００５６】
【図１】座板の上面図。
【図２】図１におけるＡ−Ａ線断面図。
【図３】図１におけるＢ−Ｂ線断面図。
【図４】座板のアンカー部を拡大断面して示す斜視図。
【図５】座板の下面図。
【図６】座板に表面材を成層した床材の上面図。
【図７】座板に目地を形成した表面材を成層した床材の上面図。
【図８】座板に分離独立せる複数の表面材を成層した床材の上面図。
【図９】図６，図７，図８におけるＡ−Ａ線断面図。
【図１０】図６におけるＢ−Ｂ線断面図。
【図１１】図７におけるＢ−Ｂ線断面図。
【図１２】図８におけるＢ−Ｂ線断面図。
【図１３】座板のアンカー部と表面材との結合状態を拡大断面して示す斜視図。
【図１４】座板に表面材を成層した床材の下面図。
【図１５】Ａ，Ｂは固化前表面材中に座板のアンカーを埋設する工程を説明する断面図。
【図１６】Ａ，Ｂ，Ｃは上記床材相互の連結手段を示し、Ａは連結片と割ほぞの連結前の状態を示す断面図と割ほぞの係止爪と連結片の拡大取り出し側面図を示し、Ｂは割ほぞがほぞ孔の内端に連結した状態を示す断面図、Ｃは割ほぞがほぞ孔の外端に連結した状態を示す断面図。
【図１７】Ａ，Ｂは上記床材相互の連結手段を示し、Ａは連結前、Ｂは連結後の状態を、座板と平行な線上において断面視する断面図。
【図１８】上記床材を床下地面に多数置設した状態を示す上面図。
【図１９】図１８における断面図。
【符号の説明】
【００５７】
１…座板、２…表面材、２′…表面材の側面、３…アンカー、４…座板結合孔、５…アンカー結合孔、６…支持脚、７…支持脚結合孔、８…結合窓、９…アンカーの側面、１０…表面材成形型、１１…化粧目地、１２…分離溝、１３…縦方向平板ビーム、１４…横方向平板ビーム、１５，１６…斜め平板ビーム、１７…床下地面、１８…空隙、１９…ほぞ孔、２０…連結片、２１…ほぞ、２１ａ…割ほぞ、２１ｂ…ほぞの下面、２２ａ…被係止爪、２２ｂ…環状被係止段部、２２ｃ…斜面、２３ａ…係止爪、２３ｂ…係止段部、２３ｃ，２３ｄ…斜面、２４…連結片の下面、２５…支持脚の下面、２６…連結片の上面。
【図１】
2008101381.tif 000003
【図２】
2008101381.tif 000004
【図３】
2008101381.tif 000005
【図４】
2008101381.tif 000006
【図５】
2008101381.tif 000007
【図６】
2008101381.tif 000008
【図７】
2008101381.tif 000009
【図８】
2008101381.tif 000010
【図９】
2008101381.tif 000011
【図１０】
2008101381.tif 000012
【図１１】
2008101381.tif 000013
【図１２】
2008101381.tif 000014
【図１３】
2008101381.tif 000015
【図１４】
2008101381.tif 000016
【図１５】
2008101381.tif 000017
【図１６】
2008101381.tif 000018
【図１７】
2008101381.tif 000019
【図１８】
2008101381.tif 000020
【図１９】
2008101381.tif 000021